(57)【要約】  本発明は、ターボ機械の環状ケーシング（１８）を冷却するための装置（２１）であって、ケーシング（１８）の軸の周りに円周方向に延在するように意図されたコレクタハウジング（２２）と、円周方向に延在し、ハウジング（２２）の内部容積に接続された少なくとも２つの冷却管（２３）とを備え、ハウジング（２２）および／または各管（２３）は、ケーシング（１８）に向かって半径方向に開口する噴出開口部を有し、ハウジング（２２）と一体に形成された管（２３）の接続部分が、ハウジング（２２）から円周方向に突出し、ハウジング（２２）の内側から外側へ半径方向に空気通路を許容するハウジングの少なくとも１つの凹部領域（２９）をそれらの間に形成することを特徴とする。
2021526193.tif 000002
【特許請求の範囲】
【請求項１】
ターボ機械（１）の環状ケーシング（１８）用の冷却装置（２１）であって、ケーシングの軸線（Ｘ）周りに円周方向に延在するように意図されたコレクタハウジング（２２）と、円周方向に延在してハウジング（２２）の内部容積と接続する少なくとも２つの冷却管（２３）とを備え、ハウジング（２２）および／または各管（２３）が、ケーシング（１８）に向かって半径方向に開口している噴出オリフィス（２５、２８）を備え、ハウジング（２２）と一体に形成された管接続部分（２３）がハウジング（２２）から円周方向に突出して延在し、これらの間に、ハウジング（２２）の内側から外側への半径方向の空気流路を許容する少なくとも１つのハウジング（２２）の少なくとも１つの凹部領域（２９）を形成することを特徴とし、かつ、各凹部領域（２９）が、ハウジング（２２）の第１の軸線端部から第２の軸線端部へ延在する直線状部分（３１）を有することを特徴とする冷却装置。
【請求項２】
各凹部領域（２９）が、ハウジング（２２）の半径方向内側端部から半径方向外側端部まで半径方向に延在する直線部（３０）を有することを特徴とする、請求項１に記載の冷却装置（２１）。
【請求項３】
各凹部領域（２９）が丸みを帯びた領域または接続フィレット（３４）によって管接続部分（２３）に接続されていることを特徴とする、請求項１または２に記載の冷却装置（２１）。
【請求項４】
管（２３）が、前記ハウジング（２２）の半径方向内側部分（２６）に配置された前記管（２３）の接続部分に接続されていることを特徴とする、請求項１〜３のいずれか一項に記載の冷却装置（２１）。
【請求項５】
前記ハウジング（２２）の内部容積に開口して前記ハウジング（２２）に対して部分的に半径方向外側にある冷却空気供給ダクト（３５）を備えることを特徴とする、請求項１〜４のいずれか一項に記載の冷却装置（２１）。
【請求項６】
少なくとも２つの第１の管（２３）および少なくとも２つの第２の管（２３）を備え、第１および第２の管（２３）がそれぞれハウジング（２２）の両側に円周方向に延在し、ハウジング（２２）が、２つの第１の管（２３）の間に軸線方向に配置された少なくとも１つの第１の凹部領域（２９）と、２つの第２の管（２３）の間に軸線方向に配置された少なくとも１つの第２の凹部領域（２９）とを画定することを特徴とする、請求項１〜５のいずれか１項に記載の冷却装置（２１）。
【請求項７】
各管（２３）の接続領域におけるハウジング（２２）の円周方向寸法と、各凹部領域（２９）におけるハウジング（２２）の円周方向寸法との比が、０．２〜０．７であることを特徴とする、請求項１〜６のいずれか１項に記載の冷却装置（２１）。
【請求項８】
ターボ機械（１）の環状ケーシング（１８）と、前記ケーシング（１８）に取り付けられ、前記ケーシング（１８）を取り囲む、請求項１〜７のいずれか１項に記載の冷却装置（２１）とを備える、ターボ機械組立体。
【請求項９】
請求項８に記載の少なくとも１つのターボ機械組立体を備える、ターボ機械（１）。
【発明の詳細な説明】
【技術分野】
【０００１】
本発明は、例えばダブルフローターボ機械などのターボ機械ケーシングの冷却装置に関する。
【背景技術】
【０００２】
図１は、ダブルフローおよびダブルスプールを備えたターボ機械１を示す。ターボ機械の軸線はＸで示され、回転部品の回転軸に対応している。以下では、軸線方向および半径方向と言う用語をＸ軸線と関連付けて定義する。
【０００３】
ターボ機械１は、ガスが流れる方向の上流から下流に、送風機２と、低圧圧縮機３と、高圧圧縮機４と、燃焼室５と、高圧タービン６と、低圧タービン７とを有している。
【０００４】
ファン２からの空気は、第１の環状流路９に流入する一次流れ８と、第１の環状流路１０を取り囲む第２の環状流路１１に流入する二次流れ１０とに分割される。
【０００５】
低圧圧縮機３、高圧圧縮機４、燃焼室５、高圧タービン６および低圧タービン７は、第１のセクション９に配置されている。
【０００６】
高圧タービン６のロータと高圧圧縮機４のロータとは、高圧体を形成するために第１のシャフト１２を介して回転結合されている。
【０００７】
低圧タービン７のロータと低圧圧縮機３のロータとは、低圧体を形成するために第２のシャフト１３を介して回転結合され、送風機２は、例えば遊星歯車列を介して低圧圧縮機３のロータに直接接続することができる。
【０００８】
図２に最もよく示されているように、低圧タービン７は、特に、可動ホイール１４および固定部品を有する、異なる連続したステージを有する。インペラは、ブレード１６が取り付けられたディスク１５を有する。ブレード１６の端部は、摩耗性材料からなる固定リング１７によって取り囲まれており、前記リング１７はタービンケーシング１８に固定されている。弁１９は、インペラ１４の下流に配置されている。弁１９およびリング１７は、ケーシング１８の半径方向内面から延在するフランジまたはフック２０によってケーシングに取り付けられている。
【０００９】
ターボ機械の高効率を保証するために、個々のステージのインペラ１４を通過しない空気の流れは制限されなければならない。すなわち、ブレード１６の半径方向外端部と摩耗性材料で作られたリング１７との間の漏れは制限されなければならない。これを行うために、この境界面でクリアランスをチェックしなければならない。このクリアランスが、ケーシング１８の温度、そして、特にリング１７を支持するフックまたはフランジ２０を含む前記ケーシング１８の領域に依存するからである。
【００１０】
燃焼室５からの一次空気流は高温であり、タービン６、７の固定部品および可動部品のような下流の部品を加熱する。
【００１１】
前述のクリアランスを制御し、タービンの様々な静止部品および可動部品のいかなる早期の劣化をも回避するために、ターボ機械の環境に容易に統合できる、効果的な冷却手段を提供する必要がある。
【００１２】
本願出願人に代わって、特許出願である仏国特許発明第３０２１７００号明細書は、図３に見られる低圧タービン７のケーシング１８の冷却装置２１を開示し、この装置は、コレクタボックス２２を有し、各コレクタボックス２２は軸線方向に延在するチャネルを形成する。
【００１３】
装置２１はまた、コレクタボックス２２の両側に円周方向に延在する管２３を含む。これらの管２３はランプとも呼ばれ、円形断面の湾曲した管によって形成され、各管２３は、例えば約９０°の角度でケーシングの周りに円周方向に延在する。
【００１４】
各管２３は、対応するコレクタボックス２２のチャネルへの空気入口開口部と、閉鎖された遠位端部とを有する。各管２３はまた、ケーシング１８に対向する空気噴出開口部を有する円筒壁を有し、ケーシング１８に対向する開口部を通して開く前に、冷却空気がマニホルド２２に流入し、次いで管２３に流入してケーシングを冷却することができるようになっている。これは、空気がケーシング１８に衝突するため、衝突冷却と呼ばれる。
【００１５】
ハウジングの半径方向内側部分はまた、冷却のためにハウジングに対向する空気放出開口部を有する。
【００１６】
ケーシングと反対側のハウジングの領域は、これらの領域の冷却が不十分であるために、厳しい熱応力によって損傷を受けていることが分かっている。
【先行技術文献】
【特許文献】
【００１７】
【特許文献１】仏国特許発明第３０２１７００号明細書
【発明の概要】
【発明が解決しようとする課題】
【００１８】
より詳細には、本発明は、これらの問題に対する単純で、効率的かつ費用対効果の高い解決策を提供することを目的とする。
【課題を解決するための手段】
【００１９】
この目的のために、本発明は、ターボ機械の環状ケーシングの冷却装置であって、ケーシングの軸線周りに円周方向に延在するように意図されたコレクタハウジングと、円周方向に延在してハウジングの内部容積に接続された少なくとも２つの冷却管とを備え、ハウジングおよび／または各管は、ケーシングに向かって半径方向に開口する噴出開口部を有し、ハウジングと一体に形成された管接続部が、ハウジングから円周方向に突出して延在し、それらの間に、ハウジングの内側から外側へ半径方向の空気流路を許容するハウジングの少なくとも１つの凹部領域を形成することを特徴とする装置を提供する。
【００２０】
凹部領域は、内側から外側へ半径方向に延在することができる。凹部領域は、ハウジングの半径方向内側端部からハウジングの半径方向外側端部まで延在してもよい。換言すれば、凹部領域は、ハウジングの外側で半径方向に開口することもできる。
【００２１】
あるいは、凹部領域は、ハウジングの半径方向寸法の一部のみに亘って延在し、ハウジングの半径方向中央領域内に開口してもよい。
【００２２】
凹部領域は、ハウジング内の少なくとも１つの穴によって形成することができる。換言すれば、凹部領域は、閉鎖部分を有してもよい。
【００２３】
あるいは、凹部領域は、少なくとも１つの溝によって形成することもできるし、より一般的には、開口部を有し、円周方向に開口することもできる。
【００２４】
全ての場合、凹部領域は、ケーシングに衝撃を与えた冷却空気の一部を取り出して別の領域に排出することを可能にする。これにより、ハウジングとケーシングの間に冷却空気の一部が閉じ込められてケーシングの関連領域が非常に高温になり、それによって、領域の早期の損傷を引き起こすことが回避される。
【００２５】
これに対して本発明では、凹部領域は、より良い空気循環を可能にし、それによってケーシングへの加熱および損傷を回避する。
【００２６】
各凹部領域は、ハウジングの半径方向内側端部から半径方向外側端部まで半径方向に延在する直線状部分を有することができる。
【００２７】
凹部領域の半径方向の直線状部分は、溝または穴によって形成することができる。
【００２８】
各凹部領域は、ハウジングの第１の軸線方向端部から第２の軸線方向端部まで円周方向に延在する直線状部分を有することができる。
【００２９】
凹部領域の円周方向に延在する直線状部分は、溝または穴によって形成することができる。
【００３０】
各凹部領域は、丸みを帯びた領域またはフィレットによって管接続部分に接続される。
【００３１】
このようにして、凹部領域内の空気流の中での圧力損失が制限される。
【００３２】
管は、ハウジングの半径方向内側部分に配置された管接続部に接続することができる。
【００３３】
冷却装置は、ハウジングの内部容積内に、部分的にはハウジングの半径方向外側に、冷却空気供給ライン開口部を有することができる。
【００３４】
供給ラインは、半径方向に向いた方向でハウジング内に導くことができる。供給ラインは、ハウジングの軸線方向中央領域で開口してもよい。
【００３５】
冷却装置は、少なくとも２つの第１の管および、少なくとも２つの第２の管を備えてもよく、第１の管および第２の管は、それぞれハウジングの両側に円周方向に延在し、、ハウジングは、２つの第１の管の間に軸線方向に位置する少なくとも１つの第１の凹部領域と、２つの第２の管の間に軸線方向に位置する少なくとも１つの第２の凹部領域とを画定する。
【００３６】
各管接続領域におけるハウジングの円周方向寸法と各凹部領域におけるハウジングの円周方向寸法との比は、０．２〜０．７の間であってもよい。
【００３７】
本発明はまた、ターボ機械の環状ケーシング、例えば環状タービンケーシングを備え、前記ケーシングに取り付けられ、前記ケーシングを取り囲む、前述した形式の冷却装置を備えることを特徴とする組立体に関する。
【００３８】
また、本発明は、少なくとも前述の形式の組立体を備えるターボ機械に関する。
【００３９】
本発明は、添付の図面を参照して、非限定的な例として与えられる以下の説明を読むと、より良く理解され、本発明の他の詳細、特徴、および利点が明らかになるであろう。
【図面の簡単な説明】
【００４０】
【図１】従来技術のダブルフローターボジェットエンジンの軸断面図である。
【図２】従来技術のターボジェットエンジンの一部の軸断面図であり、特に低圧タービンを図示するものである。
【図３】従来技術の冷却装置の斜視図である。
【図４】本発明の一実施形態に係る冷却装置の一部の斜視図である。
【図５】本発明の一実施形態に係る冷却装置の一部の概略図でである。
【図６】図４に対応する図であり、本発明の代替実施形態を図示するものである。
【発明を実施するための形態】
【００４１】
図４〜図５は、本発明の一実施形態に係るターボ機械１のケーシング１８用冷却装置２１の一部を示す。説明において、「軸線方向」、「半径方向」および「円周方向」という用語は、ケーシング１８の軸線に対して定義され、これはターボ機械１の軸線Ｘにも対応する。
【００４２】
本装置は、ケーシング１８の軸線に沿って延在し、中空であり、且つ内部容積を区切るコレクタハウジング２２を備える。
【００４３】
ハウジング２２の両側に円周方向に延在する冷却管２３は、ハウジング２２の内部容積に接続されている。
【００４４】
例えば、各管２３は、公知のように、ハウジング２２内に開口する第１の円周方向端部２４と、第２の閉じた円周方向端部とを有する。各管２３は円形断面を有し、各管２３の半径方向内側部分に空気噴出開口部２５が形成されており、噴出開口部２５はケーシング１８に対向して開口している。各管２３は、ケーシング１８の周囲に、用途に応じて変化し得る角度範囲に亘って円周方向に延在する。例えば、各管２３は、円周方向に約９０度または１８０度で延在している。
【００４５】
管２３は、ハウジング２２の半径方向内側部分２６に接続されている。
【００４６】
空気噴出開口部２７もハウジング２２の半径方向内側部分、特にハウジングに対向する半径方向内面２８上に形成され、前記開口部２７はケーシング１８に向かって開口する。
【００４７】
ハウジング２２の穴２６および管２３の穴は、円周の周りに均等に分布しており、ここでは同じ半径面内に位置している。開口部２５、２８の間のピッチは、用途に応じて固定または可変とすることができる。例えば、開口部２５、２８は円形断面を有する。
【００４８】
ハウジング２２は、凹部領域２９によって形成された空気通路を有する。各空気通路または凹部領域２９は、特に、ハウジング２２の半径方向内端から半径方向外端まで半径方向に延在する溝によって形成された直線部３０を有する。各凹部領域２９は、その端部において軸線方向に延在する溝開口部によって形成される直線状部分３１を更に備える。
【００４９】
ハウジング２２の同じ円周方向側に位置する、隣接する管２３の各対に対して、対応する半径方向溝３０は、前記隣接する管２３が延在する半径方向平面の間に軸線方向に位置する。
【００５０】
各溝３０、３１は、底面３２および２つの側面３３によって区切られている。図４および図５に図示された実施形態では、側面３３は平坦であり、底面３２に対して垂直である。図６に図示した別の実施形態では、側面３３および底面３２は、接続フィレット領域または丸みを帯びた領域３４を有していてもよい。
【００５１】
各管２３の接続領域におけるハウジング２２の円周方向寸法と、各凹部領域２９におけるハウジング２２の円周方向寸法との比は、０．２〜０．７の間であってもよい。
【００５２】
更に、冷却装置２１は、ハウジング２２の内部容積内に、ハウジング２２の外側の部分的に半径方向に、かつハウジング２２の軸方向中央領域に開口する冷却空気供給ライン３５を有する。
【００５３】
供給ライン３５は、半径方向に向けられた方向でハウジング２２内に通じる。
【００５４】
運転中、冷却空気は供給ライン３５を経てハウジング内部２２に供給される。次いで、この冷却空気は、種々の冷却管２３の間に均等に分配される。ハウジング２２内の空気の一部は、ハウジング２２の開口部２８を通ってケーシング１８に向かって噴出される。管２３内の空気の一部は、ハウジング２３の開口部を通ってケーシング１８に向かって噴出される。この冷却空気はケーシング１８に衝突し、その温度を下げる。ケーシング１８を冷却するために使用される空気は、管２３の間の軸方向に区切られた空間に排出されるだけでなく、凹部領域２９を通っても排出される。特に、ケーシング１８と接触して加熱された冷却空気の一部は、半径方向溝３０および／または軸方向溝３１を通って半径方向外方に排出される。
【００５５】
これにより、ケーシング１８の冷却が改善され、ハウジング２２の下、すなわちハウジング２２とケーシング１８との間の半径方向への熱風の滞留が回避される。
【図１】
2021526193.tif 000003
【図２】
2021526193.tif 000004
【図３】
2021526193.tif 000005
【図４】
2021526193.tif 000006
【図５】
2021526193.tif 000007
【図６】
2021526193.tif 000008
【国際調査報告】
2021526193.tif 000009
2021526193.tif 000010
2021526193.tif 000011
2021526193.tif 000012